(57)【要約】  一以上の拡散体が近傍に配置されている一に電磁的又は音響的な波を焦点合わせするための方法であって、焦点位置とネットワークの各アンテナ（２）との間のパルス反応ｈｉｊ（ｔ）を決める学習ステップを備える。次いで、Ｓｉ（ｔ）が時間の関数であり、ｈｉｊ（−ｔ）がパルス反応ｈｉｊ（ｔ）の時間的反転であるとして、信号Ｓｊｉ（ｔ）＝Ｓｉ（ｔ）×ｈｊｊ（−ｔ）に対応する波を、ネットワークの前記アンテナ（２）から送信することができる。
2009543491.tif 000002
【特許請求の範囲】
【請求項１】
指標ｉの少なくとも一つの焦点位置に波長λの波を焦点合わせするために、電磁波及び音波から選択された波を送信するための方法であって、
前記波は第１アレイ（１）に帰属する指標ｊのアンテナ（２）によって放出され、
波のための少なくとも一つの拡散体（７）が焦点位置ｉの近くで用いられ、
前記拡散体が、前記焦点位置から所定距離（Ｒ）より短い距離に配置され、
前記所定距離が最大でλ／１０に等しいことを特徴とする方法。
【請求項２】
少なくとも、
（ａ）焦点位置ｉと第１アレイの各アンテナｊ（２）と間のインパルス反応ｈｉｊ（ｔ）が、第１アレイのアンテナｊ（２）と焦点位置ｉに位置して第２アレイ（４）に帰属している少なくとも一つのアンテナ（５）との間で交換される信号から決定される学習ステップと、
（ｂ）信号Ｓｊｉ（ｔ）＝Ｓｉ（ｔ）×ｈｊｊ（−ｔ）に対応する波が第１アレイの前記アンテナｊ（２）から放出され、但し、Ｓｉ（ｔ）は時間の関数であり、また、ｈｉｊ（−ｔ）は焦点位置ｉとアンテナｊ（２）との間のインパルス反応ｈｉｊ（ｔ）の時間的反転である焦点合わせステップとを備え、その焦点合わせステップの間、焦点位置ｉの周辺に少なくとも拡散体（７）が存在するままとなっている請求項１に記載の方法。
【請求項３】
学習ステップの間：
第２アレイのアンテナ（５）によって所定信号に対応する波が放出され、前記アンテナは前記焦点位置ｉに配置され、
前記波によって生成された信号は、第１アレイ（１）の指標ｊのアンテナ（２）で拾い上げられ、かつ、
焦点位置ｉと第１アレイの各アンテナｊ（２）との間のインパルス反応ｈｉｊ（ｔ）が、その拾い上げられた信号から決定される請求項２に記載の方法。
【請求項４】
第２アレイのアンテナ（５）が、焦点合わせステップの間、焦点位置ｉに存在し、かつ、前記アンテナ（５）と第１アレイのアンテナ（２）との間で通信が確立される請求項２又は請求項３に記載の方法。
【請求項５】
学習ステップが、それぞれに第２アレイのアンテナが配置されている指標ｉの幾つかの焦点位置のために実行され、それぞれが、対応する焦点位置ｉに関連して、前記所定距離より短い距離に配置された少なくとも一つの拡散体を有し、かつ、焦点合わせステップの間、少なくとも信号Ｓｊｉ（ｔ）＝Ｓｉ（ｔ）×ｈｉｊ（−ｔ）に対応する波が第１アレイの各アンテナｊで放出され、但し、ｉは、所望の焦点位置の一つの指標である請求項２乃至４の何れか一つに記載の方法。
【請求項６】
焦点合わせステップの間、ｉの幾つかの値のための信号Ｓｊｉ（ｔ）＝Ｓｉ（ｔ）×ｈｉｊ（−ｔ）の重ね合わせに対応する波が、第１アレイの各アンテナｊによって放出される請求項５に記載の方法。
【請求項７】
第２アレイのアンテナ（５）は焦点合わせステップの間、焦点位置ｉに存在し、かつ、焦点合わせステップの間、第１アレイのアンテナｊ（２）と第２アレイの前記アンテナ（５）中の特定のものとの間で選択的な通信が確立される請求項５又は６に記載の方法。
【請求項８】
焦点位置ｉから前記所定距離より短い位置に配置された幾つかの拡散体、好ましくは少なくとも１０の拡散体が用いられる請求項１乃至７の何れか一つに記載の方法。
【請求項９】
所定距離（Ｒ）が最大でλ／５０に等しい請求項１乃至８の何れか一つに記載の方法。
【請求項１０】
波が電磁的である請求項１乃至９の何れか一つに記載の方法。
【請求項１１】
波が０．７〜５０ＧＨｚの間の周波数ｆを有する請求項１乃至１０の何れか一つに記載の方法。
【請求項１２】
焦点位置で使用される第２アレイのアンテナ（５）は、本質的に反応場を生成するように、実数部より大きい虚数部を有するインピーダンスを有する請求項１０又は１１に記載の方法。
【請求項１３】
第２アレイのアンテナ（５）のインピーダンスの虚数部は、実数部の５０倍より大きい請求項１２に記載の方法。
【請求項１４】
金属の拡散体が用いられる請求項１０乃至１３の何れか一つに記載の方法。
【請求項１５】
指標ｉの少なくとも１つの位置で波長λの電磁波を受信するための装置であって、
この装置は、電磁波のための少なくとも一つの金属の拡散体（７）を備え、
これらは位置ｉから所定距離（Ｒ）より小さい距離に配置されており、
前記所定距離は最大でλ／１０であり、但し、λは電磁波の波長である装置。
【請求項１６】
焦点位置ｉから所定距離（Ｒ）より短い位置に、幾つかの金属の拡散体、好ましくは少なくとも１０の金属の拡散体（７）を備えている請求項１５に記載の装置。
【請求項１７】
所定距離は、最大でλ／５０に等しい請求項１５又は１６に記載の装置。
【請求項１８】
位置ｉに第２アレイに帰属するアンテナ（５）を備える請求項１５乃至１７の何れか一つに記載の装置。
【請求項１９】
第２アレイのアンテナ（５）が、本質的にエバネッセント場を生成するように、実数部より大きい虚数部を有するインピーダンスを有する請求項１８に記載の装置。
【請求項２０】
インピーダンスの虚数部は、実数部の５０倍より大きい請求項１９に記載の装置。
【請求項２１】
第１アレイに帰属する指標ｊの幾つかのアンテナ（２）と、
信号Ｓｊｉ（ｔ）＝Ｓｉ（ｔ）×ｈｊｊ（−ｔ）に対応する電磁波が第１アレイの前記アンテナｊによって放出されるように第１アレイの前記アンテナｊ（２）を制御する電子中央処理ユニット（３）と、を備え、
但し、Ｓｉ（ｔ）は時間の関数であり、ｈｉｊ（−ｔ）は位置ｉ及び第１アレイの各アンテナｊ間のインパルス反応ｈｉｊ（ｔ）の時間的反転である請求項１５乃至２０の何れか一つに記載の装置。
【請求項２２】
第２アレイは、指標ｉの幾つかの位置に配置され、対応する位置ｉと関連してそれぞれ前記所定距離より小さい距離に配置された複数の金属の拡散体（７）によって囲まれた幾つかのアンテナ（５）を備え、かつ、
電子中央処理ユニット（３）は、第１アレイの各アンテナｊ（２）に、少なくとも信号Ｓｊｉ（ｔ）＝Ｓｉ（ｔ）×ｈｉｊ（−ｔ）に対応する電磁波を放出させるように設計されている請求項２１に記載の装置。
【請求項２３】
電子中央処理ユニット（３）は、第１アレイの各アンテナｊ（２）に、ｉの幾つかの値のために、信号Ｓｊｉ（ｔ）＝Ｓｉ（ｔ）×ｈｉｊ（−ｔ）の重ね合わせに対応する電磁波を放出させるように設計されている請求項２２に記載の装置。
【発明の詳細な説明】
【技術分野】
【０００１】
本発明は、電磁的又は音響的な波の伝送方法及び装置に関する。
【０００２】
より詳細には、本発明は、指標ｉの少なくとも一つの焦点位置に、第１アレイに帰属する指標ｊのアンテナから放出された波であり、波長λ（波の中心周波数に対応する波長）を有する波を集中させるために、電磁波および音波から選択された波を伝送するための方法に関する。
【背景技術】
【０００３】
特許文書ＥＰ−Ａ−０  ８０３  ９９１号は、この種の方法の例を記載しており、その例によれば位置ｉへの良好な焦点合わせを実現することができる。
【発明の概要】
【発明が解決しようとする課題】
【０００４】
本発明の目的は、特に、位置ｉにおける焦点合わせの精度改善が可能となるように、このタイプの方法を改善することである。
【課題を解決するための手段】
【０００５】
このために、本発明によれば、問題になっている種類の方法は、波のための少なくとも一つの拡散体（それ自身がアンテナであってもよい）が焦点位置ｉの近くで用いられ、前記拡散体が前記焦点位置から所定距離より短い距離に位置し、前記所定距離が最大でλ／１０に等しい点を特徴とする。
【０００６】
これらの取り決めのため、例えば、以下の方法が実施されることにより、高い焦点合わせ精度が得られることがあり、その方法においては：
エバネッセント波が位置ｉに生成され、その結果、このエバネッセント波が単独の又は複数の拡散体によって伝搬波に変換され、その伝搬波は第１アレイのアンテナに正しいことを伝搬することができ；
位置ｉ及びアンテナｊの間のインパルス反応ｈｉｊ（ｔ）は、その後、アンテナｊによって受信された信号から決定され；そうすると、
第１アレイのアンテナｊは、信号Ｓｊｉ（ｔ）＝Ｓｉ（ｔ）×ｈｉｊ（−ｔ）に対応する波の放出を命じられ、但し、Ｓｉ（ｔ）は時間の関数であり、また、ｈｉｊ（−ｔ）はインパルス反応ｈｉｊ（ｔ）の時間的反転であり；上記単数又は複数の拡散体は、受信した伝搬波からエバネッセント波を再生成し、そして、これらのエバネッセント波は、高い精度で位置ｉに焦点スポットが合わされることができ、その焦点スポットは、信号の波長に比べて非常に小さなサイズに生成される。その結果、焦点スポットの幅は、例えば、λ／３０程度となり得る。
【０００７】
本発明に係る方法の実施形態においては、更に、以下の取り決めの一つ以上が任意に使用されることがある：
その方法は、少なくとも：
（ａ）  焦点位置ｉと第１アレイの各アンテナｊと間のインパルス反応ｈｉｊ（ｔ）が、第１アレイのアンテナｊと焦点位置ｉに位置して第２アレイ（第２アレイは、任意で単一アンテナに限られてもよい）に帰属している少なくとも一つのアンテナとの間で交換される信号から決定される学習ステップ；及び
（ｂ）  信号Ｓｊｉ（ｔ）＝Ｓｉ（ｔ）×ｈｊｊ（−ｔ）に対応する波が第１アレイの前記アンテナｊから放出され、但し、Ｓｉ（ｔ）は時間の関数であり、また、ｈｉｊ（−ｔ）は焦点位置ｉとアンテナｊとの間のインパルス反応ｈｉｊ（ｔ）の時間的反転である焦点合わせステップを備え、その焦点合わせステップの間、焦点位置ｉの周辺に少なくとも拡散体が存在するままとなっている（位置ｉで受け取られた信号は、従って、信号Ｓｉ（ｔ）に近い）。焦点合わせステップの間は、特定の場合には、例えば、位置ｉの周辺領域を扱うことを目的とする適用においては、位置ｉに位置するアンテナを省略することが必要となることに留意する必要があり；
学習ステップの間は：
・第２アレイのアンテナによって所定信号に対応する波が放出され、前記アンテナは前記焦点位置ｉにあり；
・前記波によって生成された信号は、第１アレイの指標ｊのアンテナで受信され、そして
・焦点位置ｉと第１アレイの各アンテナｊとの間のインパルス反応ｈｉｊ（ｔ）が、その受信された信号から決定され；
第２アレイのアンテナが、焦点合わせステップの間焦点位置ｉに存在し、そして、前記アンテナと第１アレイのアンテナとの間で通信が確立され；
学習ステップが、指標ｉの幾つかの焦点位置のために実行され、そこには第２アレイのアンテナがそれぞれ配置されており、それぞれが、対応する焦点位置ｉに関連して、前記所定距離より短い距離に配置された少なくとも一つの拡散体を有し、かつ、焦点合わせステップの間、少なくとも信号Ｓｊｉ（ｔ）＝Ｓｉ（ｔ）×ｈｉｊ（−ｔ）に対応する波が第１アレイの各アンテナｊで放出され、但し、ｉは、所望の焦点位置の一つの指標であり；
焦点合わせステップの間、ｉの幾つかの値のための信号Ｓｊｉ（ｔ）＝Ｓｉ（ｔ）×ｈｉｊ（−ｔ）の重ね合わせに対応する波は、第１アレイの各アンテナｊによって放出され；
第２アレイのアンテナは焦点合わせステップの間、焦点位置ｉに存在し、かつ、焦点合わせステップの間、第１アレイのアンテナｊと第２アレイの前記アンテナ中の特定のものとの間で選択的な通信が確立され；
焦点位置ｉから前記所定距離より短い位置に配置された幾つかの拡散体、好ましくは少なくとも１０の拡散体が用いられ；
その所定距離は、最大でλ／５０に等しく；
その波は電磁的であり；
その波は０．７〜５０ＧＨｚの間の周波数ｆ（中心周波数）を有し；
所望の焦点位置で使用される第２アレイのアンテナは、本質的に反応場(reactive field)を生成するように、実数部より大きい虚数部を有するインピーダンスを有し；
その第２アレイのアンテナのインピーダンスの虚数部は、実数部の５０倍より大きく；そして、
金属の拡散体が用いられる。
【０００８】
更に、本発明の主題は、指標ｉの少なくとも一つの位置で波長λの電磁波を受信するためのデバイスでもあり、このデバイスは、電磁波のための少なくとも一つの金属拡散体を備え、それらは、位置ｉから所定距離よりも短い距離に位置し、前記所定距離は最大でλ／１０に等しく、但し、λは電磁波の波長である。
【０００９】
本発明に係る装置の実施形態において、装置は、焦点位置ｉから前記所定距離より短い位置に配置された幾つかの金属拡散体、好ましくは少なくとも１０の金属拡散体を備えており；
その所定距離は、最大でλ／５０に等しく；
その装置は、位置ｉに第２アレイ（第２アレイは、任意で単一アンテナに限られていてもよい）に帰属しているアンテナを備え；
第２アレイのアンテナは、本質的にエバネッセント場(evanescent field)を生成するように、実数部より大きい虚数部を有するインピーダンスを有し；
そのインピーダンスの虚数部は、実数部の５０倍より大きく；
その装置は、第１アレイに帰属する、指標ｊの幾つかのアンテナと、信号Ｓｊｉ（ｔ）＝Ｓｉ（ｔ）×ｈｊｊ（−ｔ）に対応する電磁波が第１アレイの前記アンテナｊによって放出されるように第１アレイの前記アンテナｊを制御する電子中央処理ユニットとを備え、但し、Ｓｉ（ｔ）は時間の関数であり、ｈｉｊ（−ｔ）は位置ｉ及び第１アレイの各アンテナｊ間のインパルス反応ｈｉｊ（ｔ）の時間的反転であり；
第２アレイは、指標ｉの幾つかの位置に配置され、対応する位置ｉと関連してそれぞれ前記所定距離より小さい距離に配置された複数の金属拡散体によって囲まれた幾つかのアンテナを備え、かつ、電子中央処理ユニットは、第１アレイの各アンテナｊに、少なくとも信号Ｓｊｉ（ｔ）＝Ｓｉ（ｔ）×ｈｉｊ（−ｔ）に対応する電磁波を放出させるように設計されており；そして、
電子中央処理ユニットは、第１アレイの各アンテナｊに、ｉの幾つかの値のために、信号Ｓｊｉ（ｔ）＝Ｓｉ（ｔ）×ｈｉｊ（−ｔ）の重ね合わせに対応する電磁波を放出させるように設計されている。
【００１０】
本発明の他の特徴及び効果は、非限定的な実施例の手法で、また、添付の図面を参照して与えられる複数実施形態のうちの１つに関する以下の説明によって明らかになると思われる。
【図面の簡単な説明】
【００１１】
【図１】本発明の一実施形態に係る焦点合わせ方法を用いる装置の原則を示す図である。
【図２】図１に示す装置のアンテナのアレイの一つに帰属し、拡散体によって囲まれたアンテナの上面図である。
【図３】例示的な実施形態における、図２に示すアンテナ及び金属拡散体の斜視図である。
【発明を実施するための形態】
【００１２】
様々な図において、同じ参照符号は、同一若しくは類似の要素を意味する。
【００１３】
図１は、一般に０．７〜５０ＧＨｚ、例えば２．４５ＧＨｚ程度（１２．２５ｃｍの波長に対応する）の中心周波数を有する電磁波を伴って作動する無線通信装置を示す。この装置は、第１の電子中央処理ユニット３（ＣＰＵ１）に接続されたアンテナ２の第１アレイ１と、第２の電子中央処理ユニット６（ＣＰＵ２）に接続されたアンテナ５の第２アレイ４とを備えている。
【００１４】
ここでは、アンテナ２、５の数が各配列１、４において８であるが、それらの数は異なることができる。特に、第２アレイ４は、必要に応じて、単一アンテナ５を備えることができる。
【００１５】
第２アレイのアンテナ５は、距離Ｌ（それは、問題になっているアンテナ５の対に応じて、同じであっても、また異なっていてもよい）だけ相互に離れており、その距離は電磁波の波長λより短い。例えば、距離Ｌは、４ｍｍ程度、すなわち、λ／３０より僅かに短い程度でもよい。
【００１６】
しかしながら、第１及び第２アレイ１，４は、λに比べてかなり大きな距離、一般には３λより大きい距離だけ相互に離れている。
【００１７】
図２に示すように、第２アレイの各アンテナ５は、アンテナ５周辺の半径Ｒの範囲内に位置する複数の金属製拡散体７によって囲まれている。その半径Ｒはλ／２より小さく、λ／１０より小さいこと、特にλ／５０より少ないことが好ましい。
【００１８】
各アンテナ５は、反応タイプである。換言すれば、アンテナのインピーダンスの虚数部は無視できる程度ではなく、その結果、アンテナ５は、電気信号を受信するとエバネッセント場を生成する。
【００１９】
都合のよいことに、反応アンテナのインピーダンスの虚数部は、実数部より大きい。
【００２０】
例えば、そのインピーダンスの虚数部は、そのインピーダンスの実数部の５０倍より大きい。
【００２１】
ここで考慮されている特定の実施形態においては、インピーダンスの実数部が１０Ωであり、虚数部が１００Ωである。
【００２２】
このようにして、反応アンテナ５は、電気信号を受信すると本質的に反応場を生成し、その結果、次いで、（アンテナ５に対して比較的大きな距離に伝搬する伝搬波とは対照的に）前記反応アンテナの周辺にだけ位置するエバネッセント電磁波を生成する。直径Ｒの領域における金属製の拡散体７の数は１０より大きく、例えば、２０より大きい。
【００２３】
これらの金属製の拡散体は、例えば単純な導体要素であり、例えば銅線である。
【００２４】
既に知られているように、これらの拡散体は、反応アンテナ５から来たエバネッセント電磁波を受信すると、このエバネッセント波を伝搬波に変換する。反対に、これらの拡散体７は、電磁伝搬波を受信すると、前記伝搬波をエバネッセント波に変換する。
【００２５】
非限定的な実施形態を挙げるために、図３は、反応アンテナ５及び反応拡散体７の一実施形態を示す。この例において、反応アンテナ５は、例えば同軸ケーブルで構成してもよく、これを構成するコア８および誘電体１２が貫通する樹脂板１０は、その下側に同軸ケーブルのシールド９と電気的に接触している金属層１１を有しており、コア８は、短い距離ｅだけ、例えば２ｍｍ程度だけ、板１０から突出している。
【００２６】
距離ｅは、波長λと比較して小さいことが好ましい。コア８は、従って、板１０から突出しているその短い領域において、電磁波を放出又は受信することができる。
【００２７】
ここで、金属製の拡散体７は、例えば、全てが相互に平行であり、かつ、上記コア８と平行である細い銅線の形状とされている。これらの銅線は、例えば４〜５ｃｍ程度の長さｌを有しており、板１０に、例えばそれらをこの板に被覆モールドする樹脂を形成することにより、固定することとしてもよい。
【００２８】
ここに記載された例において、第１アレイのアンテナ２は従来のアンテナであり、第２アレイ４のアンテナと比べてかなり大きな距離離れて配置されるが、もちろん、第１アレイ１は第２アレイ４と同一であること、或いは類似することができる。
【００２９】
ここまでに記載した装置は、例えば、第１アレイ１を第２アレイ４の各アンテナ５と（同時に、又は、さもなければ）選択的に通信させるために用いることとしてもよい。
【００３０】
この目的のために、初期学習ステップの間、各反応アンテナ５は、例えば１０ｎｓオーダーの期間を有するパルス信号に対応する電磁波を相次いで放出するように駆動される。
【００３１】
この電磁波は、第１アレイの様々なアンテナ２によって受信され、そして、このようにアンテナ２によって受信された信号は、信号を発した反応アンテナ５と第１アレイの各アンテナ２との間のインパルス反応ｈｉｊ（ｔ）にそれぞれ対応する。但し、ｉは反応アンテナ５を意味する指標であり、ｊは問題となっているアンテナ２を意味する指標である。
【００３２】
インパルス反応ｈｉｊ（ｔ）が、異なる方法で、例えば、第１アレイのアンテナｊに所定の信号を放出させることにより、第２アレイのアンテナｉによって受信された信号を拾い上げることにより、第１中央処理ユニット３において拾い上げられた信号を送信することにより（この送信は、有線、無線又は他の手段に置き換えてもよい）、及びこれらの拾い上げられた信号を処理することにより決定され得る点に留意する必要がある。このタイプの方法の例は、特許文献ＷＯ−Ａ−２００４／０８６５５７号に挙げられている。
【００３３】
第１中央処理ユニット３は、次に、これらのインパルス反応の時間的反転を実行して、信号ｈｉｊ（−ｔ）を得る。
【００３４】
この時間的反転ステップは、例えば、Ｌｅｒｏｓｅｙ他による文献（フィジカルレビューレターズ、２００４年５月１４日、アメリカ物理学会、第９２巻、Ｎｏ．１９、ページ１９３９０４―１〜１９３９０４―３）に説明されているように実行してもよい。
【００３５】
その結果として、指標ｉの反応アンテナ５の１つに信号Ｓ（ｔ）を放出することが要求された際には、第１中央処理ユニット３が、指標ｊの各アンテナ２に、信号Ｓｊｉ（ｔ）＝Ｓｉ（ｔ）×ｈｉｊ（−ｔ）を放出させる。
【００３６】
このようにして、第１中央処理ユニット３は、幾つかの信号Ｓｉ（ｔ）を、指標ｉ１、ｉ２、ｉ３、その他の幾つかの反応アンテナ５に、それぞれ、任意に並列に送信することができる点に留意する必要がある。
【００３７】
このようにして、焦点合わせステップの間、第１アレイの各アンテナｊは、ｉの幾つかの値のための信号Ｓｊｉ（ｔ）の重合せに対応する電磁波を放出させられる（様々な反応アンテナｉに対応する信号Ｓｊｉ（ｔ）は、指標ｊの各アンテナによって電磁波が放出される前に合計される）。
【００３８】
学習ステップの間に各アンテナ２にパルス信号を放出させ、次いで指標ｊの各アンテナ２と指標ｉの各アンテナ５との間のインパルス反応ｈｊｉ（ｔ）を算出させることにより初期学習ステップもまた実施されるのであれば、中央処理ユニット３及び６の間の両方向通信は、更に改善され得る点に留意する必要がある。この場合、第２中央処理ユニット６もまた、これらのインパルス反応の時間的反転ｈｊｉ（−ｔ）を計算し、かつ、メモリに保存するように設計される。この場合、第２中央処理ユニット６は、第１アレイ１のアンテナ２ｊに信号Ｓｊ（ｔ）を送信しなければならないときには、指標ｉの全ての反応アンテナ５に信号Ｓｉｊ（ｔ）＝Ｓｊ（ｔ）×ｈｊｉ（−ｔ）を放出させる。
【００３９】
前述したように、これらの信号Ｓｉｊ（ｔ）は、ｊの幾つかの値のために任意に重ねることができ、その結果、第１中央処理ユニット６から様々なアンテナ２に様々なメッセージが並行に送信される。
【００４０】
ここまでに記載した装置は、例えば、回路間の物理リンクなしで、マイクロコンピュータ等のような電子器具アイテムに、部屋又は建物のスケールにおいて相互通信をさせるため、更には、同じ電子器具アイテムの内部で様々な回路に相互通信をさせるために用いることができる。
【００４１】
通信アプリケーションにおいて、上述した焦点合わせは、信号を選択的に反応アンテナ５のうちの１つに送信するために、相関ベース方法又は送信行列の記録及び反転を用いる方法に置き換えることが可能である点に留意する必要がある。
【００４２】
更に、本発明は、電磁波を小さな焦点スポットに焦点合わせして、この焦点スポットに置かれた材料を処理する目的で用いることもできる。この場合、焦点合わせステップの間、反応アンテナ５は任意で取り外しておくことができるが、このステップの間、反応性拡散体は、しかしながら残されたままである。
【００４３】
最後に、本発明は、電磁波に限定されるものではなく、超音波を送信するために用いることもできる。
【図１】
2009543491.tif 000003
【図２】
2009543491.tif 000004
【図３】
2009543491.tif 000005
【国際調査報告】
2009543491.tif 000006
2009543491.tif 000007
2009543491.tif 000008
2009543491.tif 000009
2009543491.tif 000010
2009543491.tif 000011